(57)【特許請求の範囲】
【請求項１】
商品を収納する断熱構造の収納室と、前記収納室を冷却する冷却器と、前記収納室内に発生したドレーン水を処理するドレーン水蒸発装置を備え、前記商品を冷却し販売する自動販売機において、前記冷却器の下部に、前記冷却器を設置し前記冷却器から排水されたドレーン水を受け前記収納室前部の排水口を通じ前記ドレーン水蒸発装置へ導くドレーンガイドを備え、前記ドレーンガイドは上部ガイドと下部ガイドの２重構造で構成され、前記下部ガイドは前記冷却器が配置されている箇所から手前に向かって傾斜し、前記冷却器の側面板の下部を前記下部ガイドの傾斜に合わせて傾斜させて前記下部ガイドと前記冷却器の側面板の下部の隙間をなくし、前記冷却器の前記側面板よりはみ出した配管パイプから排水されたドレーン水が前記収納室の底に流れ落ちないように、前記下部ガイドを前記冷却器の設置面積よりも大きくすると共に前記上部ガイドに前記冷却器を挟んで前記側面板よりはみ出した配管パイプから排水されたドレーン水が前記下部ガイドに流れ落ちるように固定するフランジを設けたことを特徴とした自動販売機のドレーン水排水装置。
【発明の詳細な説明】
【技術分野】
【０００１】
本発明は、収納室内に冷却器を備えた自動販売機において、収納室内に発生するドレーン水を処理するドレーン水排水装置に関するものである。
【背景技術】
【０００２】
従来、この種のドレーン水排水装置は、収納室の下部に排水口を設け、この排水口に挿着された排水路となるホースを介して下方のドレーン水蒸発装置に排水している（例えば、特許文献１参照）。
【０００３】
図５は、特許文献１に記載された従来のドレーン水排水装置を示すものである。図５に示すように、収納室１と、冷却器２と、ドレーン水蒸発装置３と、排水孔１１と、ホース１２と、圧縮機１３とから構成されている。
【特許文献１】特開平８−３０８５６号公報
【発明の開示】
【発明が解決しようとする課題】
【０００４】
しかしながら、前記従来の構成では、収納室下方にある圧縮機やその周囲の配管が複雑であり、ホースが接触し破れるあるいはホースの固定が必要になるという課題を有していた。
【０００５】
本発明は、前記従来の課題を解決するもので、収納室下方にある圧縮機やその周囲の配管に影響されることなく排水が可能となる自動販売機のドレーン水排水装置を提供することを目的とする。
【課題を解決するための手段】
【０００６】
前記従来の課題を解決するために、本発明の自動販売機のドレーン水排水装置は、商品を収納する断熱構造の収納室と、この収納室を冷却するための冷却器と、前記冷却器の下部に、前記冷却器を設置し前記冷却器から排水されたドレーン水を受け前記収納室前部の排水口を通じドレーン水蒸発装置へ導くドレーンガイドを備えたことにより、構造が複雑である圧縮機周囲でホース等を介してドレーン水蒸発装置へ導く必要が無く、ドレーン水が漏れる危険を無くせるという作用を有する。
【０００７】
また、本発明の自動販売機のドレーン水排水装置は、前記ドレーンガイドが上部ガイドと下部ガイドの２重構造で構成され、前記下部ガイドは前記冷却器が配置されている箇所から手前に向かって傾斜し、前記冷却器の側面板の下部を前記下部ガイドの傾斜に合わせて傾斜させて前記下部ガイドと前記冷却器の側面板の下部の隙間をなくしたことで、収納室を循環する空気が冷却器と下部ガイドの間から漏れ出すのを防ぎ、効率的な冷却運転を行えるという作用を有する。
【０００８】
また、本発明の自動販売機のドレーン水排水装置は、前記冷却器の前記側面板よりはみ出した配管パイプから排水されたドレーン水が前記収納室の底に流れ落ちないように、前記下部ガイドを前記冷却器の設置面積よりも大きくすると共に前記上部ガイドに前記冷却器を挟んで前記側面板よりはみ出した配管パイプから排水されたドレーン水が前記下部ガイドに流れ落ちるように固定するフランジを設けて冷却器の固定を確実にすることで、ドレーン水が収納室の底に漏れることを無くせるという作用を有する。
【発明の効果】
【０００９】
本発明の自動販売機のドレーン水排水装置は、ドレーン水蒸発装置へドレーン水を導くために、圧縮機周囲にホース等を設ける必要がなく、ドレーン水がホース等から漏れる危険を無くすことができる。
【００１０】
また、収納室の底に排水のための排水孔を設ける必要がなく、そのため収納庫の断熱性を向上させることができる。
【００１１】
また、収納室を循環する空気が冷却器と下部ガイドの間から漏れ出すのを防ぎ、効率的な冷却運転を行える。また、冷却器の側面板よりはみ出した配管パイプから排水されたドレーン水が収納室の底に流れ落ちるのを防止できる。また、冷却器を容易にドレーンガイドに固定できるため、サービス時などで、冷却ユニットを脱着の必要がある場合に、脱着に要する時間を短縮することができる。
【発明を実施するための最良の形態】
【００１２】
請求項１に記載の発明は、商品を収納する断熱構造の収納室と、前記収納室を冷却する冷却器と、前記収納室内に発生したドレーン水を処理するドレーン水蒸発装置と、前記冷却器の下部に、前記冷却器を設置し前記冷却器から排水されたドレーン水を受け前記収納室前部の排水口を通じ前記ドレーン水蒸発装置へ導くドレーンガイドを備え、前記ドレーンガイドは上部ガイドと下部ガイドの２重構造で構成され、前記下部ガイドは前記冷却器が配置されている箇所から手前に向かって傾斜し、前記冷却器の側面板の下部を前記下部ガイドの傾斜に合わせて傾斜させて前記下部ガイドと前記冷却器の側面板の下部の隙間をなくし、前記冷却器の前記側面板よりはみ出した配管パイプから排水されたドレーン水が前記収納室の底に流れ落ちないように、前記下部ガイドを前記冷却器の設置面積よりも大きくすると共に前記上部ガイドに前記冷却器を挟んで前記側面板よりはみ出した配管パイプから排水されたドレーン水が前記下部ガイドに流れ落ちるように固定するフランジを設けたことにより、構造が複雑である圧縮機周囲をホース等を介してドレーン水蒸発装置へ導く必要が無く、ドレーン水が漏れる危険を無くすことができる。
【００１３】
また、収納室を循環する空気が冷却器と下部ガイドの間から漏れ出すのを防ぎ、効率的な冷却運転を行える。
【００１４】
また、冷却器の側面板よりはみ出した配管パイプから排水されたドレーン水が収納室の底に流れ落ちるのを防止できる。
【００１５】
また、冷却器を容易にドレーンガイドに固定できるため、サービス時などで、冷却ユニットを脱着の必要がある場合に、脱着に要する時間を短縮することができる。
【００１６】
（実施の形態１）
図１は、本発明の実施の形態１における自動販売機のドレーン水排水装置の側面断面図を示すものである。
【００１７】
図１において、収納室１は断熱材により半密閉構造となっている。冷却器２は収納室１を冷却するものである。ドレーン水蒸発装置３は、収納室１の下方に位置し冷却器２から排水されるドレーン水を蒸発させる。ドレーンガイド４は、冷却器２の下部に設けられ、冷却器２から排水されたドレーン水を収納室１の前部に設けられた排水口５から排水する。ドレーンガイド４は上部ガイド６と下部ガイド７で構成されており、排水がもれない構造となっている。
【００１８】
上部ガイド６は、下部ガイド７との間に一定の隙間を持つよう構成されており、下部ガイド７は冷却器２が配置されている箇所から手前に向かって傾斜されるように構成されている。
【００１９】
図２は、本発明の実施の形態１における自動販売機のドレーン水排水装置のドレーンガイド及び冷却器の分解斜視図を示すものである。
【００２０】
図２において、下部ガイド７は、冷却器２の側面板８よりはみ出した、例えば、リターンベンド等の配管パイプ９よりも大きくなるように構成されている。
【００２１】
図３は、本発明の実施の形態１における自動販売機のドレーン水排水装置の下部ガイド及び冷却器の分解側面図を示すものである。
【００２２】
図３において冷却器２の側面板８の下部は、冷却器２が配置されている箇所から手前に向かって傾斜され、下部ガイド７の傾斜と合わせることで冷却器２設置時に下部ガイド７と側面板８との隙間をなくすよう構成されている。
【００２３】
図４は、本発明の実施の形態１における自動販売機のドレーン水排水装置のドレーンガイド及び冷却器の斜視図を示すものである。
【００２４】
図４において上部ガイド６は冷却器２との隣接箇所にフランジ１０を２箇所設けることでその間に冷却器２を挟み、固定できるよう構成されている。
【００２５】
以上のように構成された自動販売機のドレーン水排水装置についてその動作を説明する。
【００２６】
収納室１は冷却器２により冷却される。その時、冷却器２よりドレーン水が排水される。排水されたドレーン水は漏れのないよう結合された上部ガイド６と下部ガイド７間を流れ、排水口５へと流れる。排水口５に流れたドレーン水はドレーン水蒸発装置３に導かれ、蒸発を行う。
【００２７】
以上のように、本実施の形態においては、収納室１と収納室１を冷却する冷却器２と、ドレーン水蒸発装置３と、冷却器２の下部に設けられ、上部ガイド６と下部ガイド７と、排水口５で構成されたドレーンガイド４を設けることで、構造が複雑である圧縮機周辺でホース等を介してドレーン水蒸発装置３に導く必要がなく、ドレーン水が漏れる危険を無くすことが出来る。
【００２８】
また、本実施の形態では、下部ガイド７を冷却器２の側面板８よりはみ出した、例えば、リターンベンド等の配管パイプ９よりも大きくなるような構造にすることで、配管パイプ９からのドレーン水が収納室１の底に流れ落ちないようにすることが出来る。
【００２９】
また、本実施の形態では、冷却器２の側面板８の下部を、下部ガイド７の傾斜と合わせることで、庫内冷却の際、循環空気が冷却器２と下部ガイド７の間から漏れ出すことがなく、効率的な運転を行える。
【００３０】
また、本実施の形態では、ドレーン水排水装置の上部ガイド６にフランジ１０を設けることにより、冷却器２を固定することでドレーン水が収納室１の底に漏れることを無くすことができ、冷却器２を容易にドレーンガイド４に固定できるため、サービス時などで、冷却ユニットを脱着の必要がある場合に、脱着に要する時間を短縮することができる。
【産業上の利用可能性】
【００３１】
以上のように、本発明にかかる自動販売機のドレーン水排水装置は、構造が複雑である圧縮機周囲をホース等を介してドレーン水蒸発装置へ導く必要が無く、ドレーン水が漏れる危険を無くすことが可能となるので、業務用の冷却器を搭載した機器にも適用できる。
【図面の簡単な説明】
【００３２】
【図１】本発明の実施の形態１における自動販売機のドレーン水排水装置の側面断面図
【図２】同実施の形態における自動販売機のドレーン水排水装置のドレーンガイド及び冷却器の分解斜視図
【図３】同実施の形態における自動販売機のドレーン水排水装置の下部ガイド及び冷却器の分解側面図
【図４】同実施の形態における自動販売機のドレーン水排水装置のドレーンガイド及び冷却器の斜視図
【図５】従来のドレーン水排水装置の側面断面図
【符号の説明】
【００３３】
１    収納室
２    冷却器
３    ドレーン水蒸発装置
４    ドレーンガイド
５    排水口
６    上部ガイド
７    下部ガイド
８    冷却器の側面板
９    配管パイプ
１０  フランジ
【図１】
0004807008.tif 000002
【図２】
0004807008.tif 000003
【図３】
0004807008.tif 000004
【図４】
0004807008.tif 000005
【図５】
0004807008.tif 000006